(57)【要約】【課題】予備電源が消耗していても、異常が発生することを抑制する火災受信装置を提供する。【解決手段】火災受信装置１は、商用電源１７の停電時に予備電源１４によって駆動する火災受信装置１において、予備電源１４の試験を開始する操作部５０と、予備電源１４の電圧を測定する電圧監視回路５２と、操作部５０が操作された際、電圧監視回路５２の測定結果に基づいて、予備電源１４に試験抵抗５３ｂを接続する接続回路５３と、を備える。【選択図】図２
2016186722.tif 000002
【特許請求の範囲】
【請求項１】
商用電源の停電時に予備電源によって駆動する火災受信装置において、
前記予備電源の試験を開始する操作部と、
前記予備電源の電圧を測定する電圧監視回路と、
前記操作部が操作された際、前記電圧監視回路の測定結果に基づいて、前記予備電源に試験抵抗を接続する接続回路と、
を備えることを特徴とする火災受信装置。
【請求項２】
前記接続回路は、
前記電圧監視回路において測定された電圧が試験閾値電圧以上の場合、前記予備電源に前記試験抵抗を接続するものである
ことを特徴とする請求項１記載の火災受信装置。
【請求項３】
前記操作部が操作された際、前記商用電源による駆動から前記予備電源による駆動に切り替える切替部を
備えることを特徴とする請求項１又は２記載の火災受信装置。
【請求項４】
前記接続回路は、
前記操作部が操作されてから、基準時間が経過した後、前記電圧監視回路の測定結果に基づいて、前記予備電源に前記試験抵抗を接続するものである
ことを特徴とする請求項１〜３のいずれか１項に記載の火災受信装置。
【請求項５】
前記商用電源による駆動において点灯し、前記予備電源による駆動において点滅する電源灯を
備えることを特徴とする請求項１〜４のいずれか１項に記載の火災受信装置。
【請求項６】
前記電源灯はＬＥＤであり、
前記電源灯のアノードは、第１の電圧源に接続され、前記電源灯のカソードは、前記商用電源駆動時に接地され前記予備電源駆動時にハイインピーダンスとなる端子に接続され、
第２の電圧源に接続され、該第２の電圧源によって充放電されるコンデンサと、
前記電源灯のカソードに出力端子が接続され、前記コンデンサに充電されたコンデンサ電圧と、前記第２の電圧源に基づいて変動生成される閾値電圧とを比較して、前記コンデンサ電圧が該閾値電圧以上の場合前記出力端子が接地され、前記コンデンサ電圧が該閾値電圧未満の場合前記出力端子がハイインピーダンスとなるコンパレータと、
を備えることを特徴とする請求項５記載の火災受信装置。
【発明の詳細な説明】
【技術分野】
【０００１】
本発明は、火災受信装置に関する。
【背景技術】
【０００２】
従来、火災報知設備に用いられる火災受信装置が知られている。この火災受信装置は、電源供給源として、商用電源のほかに、予備電源が接続されており、商用電源の停電時に予備電源による駆動に切り替えられる。
【０００３】
また、特許文献１には、主電源（商用電源）と予備電源とが接続された火災受信機（火災受信装置）において、予備電源の試験を行う自動試験装置が開示されている。特許文献１は、予備電源の試験が行われる際、火災受信機の主回路が予備電源から切り離され、その後、スイッチ（操作部）が押下されると、直ちに予備電源にダミー負荷（試験抵抗）が接続される。そして、予備電源の電圧が測定される。特許文献１において、ダミー負荷接続時の電圧が閾値電圧以下のとき、主回路は予備電源に接続されない。これにより、特許文献１は、予備電源の電圧が低いことに起因する主回路のシステムダウンを防止しようとするものである。
【先行技術文献】
【特許文献】
【０００４】
【特許文献１】特開平７−２７２１４８号公報
【発明の概要】
【発明が解決しようとする課題】
【０００５】
しかしながら、特許文献１に開示された自動試験装置は、スイッチ（操作部）が押下されると、直ちに予備電源にダミー抵抗（試験抵抗）が接続される。このため、予備電源が消耗している場合、急激な電圧変化が生じて、火災受信機に異常が発生する虞がある。
【０００６】
本発明は、上記のような課題を解決するためになされたもので、予備電源が消耗していても、異常が発生することを抑制する火災受信装置を提供するものである。
【課題を解決するための手段】
【０００７】
本発明に係る火災受信装置は、商用電源の停電時に予備電源によって駆動する火災受信装置において、予備電源の試験を開始する操作部と、予備電源の電圧を測定する電圧監視回路と、操作部が操作された際、電圧監視回路の測定結果に基づいて、予備電源に試験抵抗を接続する接続回路と、を備えることを特徴とする。
【発明の効果】
【０００８】
本発明によれば、接続回路は、操作部が操作された際、電圧監視回路の測定結果に基づいて、予備電源に試験抵抗を接続する。このため、電圧監視回路の測定結果によっては、予備電源に試験抵抗が接続されない。従って、予備電源が消耗していても、火災受信装置に異常が発生することを抑制することができる。
【図面の簡単な説明】
【０００９】
【図１】本発明の実施の形態１に係る警報システム２を示すブロック図である。
【図２】本発明の実施の形態１に係る無線式中継器用電源装置１を示すブロック図である。
【図３】本発明の実施の形態２に係る無線式中継器用電源装置１を示す回路図である。
【発明を実施するための形態】
【００１０】
以下、本発明に係る無線式中継器用電源装置１及び警報システム２の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１１】
実施の形態１．
図１は、本発明の実施の形態１に係る警報システム２を示すブロック図である。この図１に基づいて、警報システム２について説明する。図１に示すように、警報システム２（火災報知設備の一例）は、無線式感知器３と、無線式中継器４（端末機器の一例）と、受信機５と、無線式中継器用電源装置１（火災受信装置の一例）とを備えている。無線式感知器３は、例えば煙等を感知する火災感知器である。無線式感知器３は、受信機５に有線で直接接続されてはおらず、無線式中継器４を介して、無線で火災信号等の送受信が行われる。
【００１２】
無線式中継器４は、無線式感知器３との間で信号の送受信を無線で行い、無線式感知器３から受信した信号を受信機５に配線を通じて送信するものである。なお、本実施の形態１では、無線式中継器４は、無線式中継器用電源装置１を介して、信号を受信機５に送信する。
【００１３】
受信機５は、無線式中継器４から受信した信号に基づいて、火災警報等の報知を行うものである。なお、本実施の形態１では、受信機５は、無線式中継器用電源装置１を介して、無線式中継器４からの信号を受信する。受信機５は、商用電源１７、例えば１００Ｖの交流電源が入力されている。なお、受信機５は、火災等の報知用中継器としてもよい。
【００１４】
無線式中継器用電源装置１は、無線式中継器４に電源を供給し、無線式中継器４と受信機５との間に介在させて、無線式中継器４からの信号を受信機５に中継するものである。無線式中継器用電源装置１は、商用電源１７又は予備電源１４によって駆動する。無線式中継器用電源装置１は、商用電源１７、例えば１００Ｖの交流電源が入力されており、そのほかに、予備電源１４も接続されている。
【００１５】
ここで、無線式中継器用電源装置１は、更に、電源電圧監視回路（図示せず）を有している。電源電圧監視回路は、例えば商用電源１７に接続された電源回路２６（図２）に接続されており、電源回路２６から出力される電圧（直流電圧）を測定している。通常時、無線式中継器用電源装置１は、商用電源１７に基づく電源供給によって駆動されている。電源電圧監視回路によって測定された電圧が所定電圧を下回った場合、無線式中継器用電源装置１は、交流電源に基づく電源供給が停止したと判断して、商用電源１７による駆動から予備電源１４による駆動に切り替えられる。これにより、無線式中継器用電源装置１は、交流電源の停電時に予備電源１４によって駆動される。
【００１６】
無線式中継器用電源装置１と無線式中継器４とは、一対の電源線１３によって接続されており、無線式中継器用電源装置１は、電源線１３を用いて、無線式中継器４に電源を供給する。また、無線式中継器用電源装置１と無線式中継器４とは、一対の中継配線１１によって接続されており、無線式中継器用電源装置１は、中継配線１１を用いて、無線式中継器４との間で信号の送受信を行う。この信号は、例えば無線式中継器４が無線式感知器３から受信した火災信号等である。
【００１７】
更に、無線式中継器用電源装置１と受信機５とは、一対の受信配線１２によって接続されており、無線式中継器用電源装置１は、受信配線１２を用いて、受信機５との間で信号の送受信を行う。この信号は、例えば無線式中継器用電源装置１が無線式中継器４から受信した火災信号等である。そして、無線式中継器用電源装置１は、各種の異常情報を外部機器に移報する機能を有している。
【００１８】
なお、無線式感知器３は、煙等により火災を検出すると火災信号を送信する。
【００１９】
また、無線式中継器４は、図示しないが、常時は開の第１のスイッチング素子と発報電流調整用の抵抗（例えば１００Ω）とが直列接続されて、図２に示す中継配線１１間（後述する中継終端抵抗１５）に並列に接続されたスイッチング回路を備えている。このスイッチング回路は、無線式中継器用電源装置１のスイッチング回路（後述する）と同様の構成である。そして、無線式中継器４は、無線式感知器３から火災信号を受信すると、第１のスイッチング素子を閉じることによりスイッチング回路を動作させて、火災情報（火災信号）として、発報電流調整用の抵抗に基づく略短絡電流を中継配線１１に流すように動作する。
【００２０】
図２は、本発明の実施の形態１に係る無線式中継器用電源装置１を示すブロック図である。図２に示すように、無線式中継器用電源装置１は、例えば、一対の中継端子２１と、一対の受信端子２２と、中継断線監視回路２５と、電源回路２６と、制御回路２７と、電源端子２８と、終端端子２９と、表示手段としての電源灯３１と、配線端子台３２とを備えている。なお、無線式中継器用電源装置１は、図２に示すように、表示手段として、電源灯３１の他にも、火災灯、断線灯、予備電源異常灯等を備えている。
【００２１】
中継端子２１は、無線式中継器４に中継配線１１を介して接続されるものである。受信端子２２は、受信機５に受信配線１２を介して接続されるものである。
【００２２】
中継断線監視回路２５は、中継端子２１間に接続されて中継配線１１の断線を監視するものである。なお、無線式中継器４には、中継配線１１の末端に接続された断線検出用の中継終端抵抗１５が接続されており、例えば１０ｋΩである。中継断線監視回路２５は、中継配線１１に流れる中継終端抵抗１５に基づく微弱電流を検出し、当該微弱電流が流れなくなったことを検出すると、中継配線１１が断線であると判断する。このようにして、中継断線監視回路２５は、中継配線１１の断線を監視している。そして、中継配線１１の断線が確認されると、中継配線１１が断線した旨の中継断線警報（後述する）が出力される。
【００２３】
また、中継断線監視回路２５は、無線式中継器４から受信した火災信号等を検出して、制御回路２７に送信する機能も有している。ここで、中継断線監視回路２５は、無線式中継器４のスイッチング動作に基づく中継配線１１に流れる略短絡電流を検出し、当該略短絡電流が流れていると判断すると、火災信号を検出したと判断する。
【００２４】
なお、火災信号を検出する回路を中継火災監視回路として、中継断線監視回路２５とは別に設けるようにしてもよい。
【００２５】
電源回路２６は、商用電源１７である交流電源から供給された電力を変圧器で変圧した後の電力（直流電圧）が入力されるものであり、この電力を所定の電力に変換して、中継断線監視回路２５及び制御回路２７等（主回路）に出力する。なお、中継断線監視回路２５及び制御回路２７等（主回路）は、交流電源の停電時には、予備電源１４からも電力が供給されるように構成されている。予備電源１４は、例えば蓄電池である。制御回路２７は、中継断線監視回路２５から受信した信号に基づいて、異常情報又は火災情報を受信機５に送信するものである。また、制御回路２７は、その異常情報又は火災情報を図２の表示手段（例えば、断線灯又は火災灯）に送信する。一対の電源端子２８は、無線式中継器４に電源線１３を介して接続されるものである。なお、電源端子２８には、ヒューズが取り付けられている。
【００２６】
一対の終端端子２９は、受信機５による受信配線１２の断線検出用の終端器１６が接続されるものである。なお、終端器１６は、終端抵抗としてもよく、抵抗値は、中継終端抵抗１５と同様としてもよく、例えば１０ｋΩである。
【００２７】
終端器１６（終端端子２９）と受信配線１２（受信端子２２）との間には、断線出力回路としての第２のスイッチング素子４２と、スイッチング回路としての第３のスイッチング素子４３と、抵抗４４とを備える。
【００２８】
なお、第２のスイッチング素子４２と第３のスイッチング素子４３とが実装されている部分は、それ以外の部分と絶縁されている。
【００２９】
中継断線監視回路２５が中継配線１１の断線を確認すると、中継断線監視回路２５は、その異常情報（断線情報）を制御回路２７に送信する。そして、制御回路２７は、異常情報の場合に、終端器１６に直列接続された常時は閉の第２のスイッチング素子４２を開く。これにより、異常情報が受信機５に送信される。つまり、異常情報として、受信配線１２間（終端器１６）を断線させて、受信配線１２に終端器１６に基づく微弱電流を流さなくする。このとき、中継配線１１が断線した旨の中継断線警報（後述する）が出力される。
【００３０】
また、中継断線監視回路２５が無線式中継器４から火災信号等を受信すると、中継断線監視回路２５は、その火災情報を制御回路２７に送信する。そして、制御回路２７は、火災情報の場合に、終端器１６に並列接続された常時は開の第３のスイッチング素子４３を閉じて、スイッチング回路をスイッチング動作させる。これにより、火災情報が受信機５に送信される。なお、第３のスイッチング素子４３には、終端器１６よりも小さい抵抗値である発報電流調整用の抵抗４４が直列に接続されており、これにより、火災情報として、受信配線１２には、終端器１６に基づく微弱電流よりも大きい略短絡電流が流れる。
【００３１】
表示手段としての電源灯３１は、自機の電源供給源を表示するものであり、詳細は後述する実施の形態２で説明するが、自機が商用電源１７で駆動されているか、又は予備電源１４で駆動されているかを表示するものである。火災灯は、火災であることを表示するものである。断線灯は、断線であることを表示するものであり、中継断線警報の一例である。予備電源異常灯は、予備電源１４の電源電圧が異常である（電源電圧が低下している）ことを表示するものであるが、例えば、消灯状態により、予備電源１４の電源電圧が正常であることも表示するものである。
【００３２】
配線端子台３２は、中継端子２１、受信端子２２、電源端子２８及び終端端子２９が設けられた端子台である。
【００３３】
次に、図１において、受信機５は、受信配線１２の断線が確認された場合に受信断線警報を出力する受信警報部（図示せず）と、受信配線１２に接続されて、受信配線１２の断線を監視する監視回路（図示せず）とを有する。監視回路は、受信配線１２に流れる終端器１６に基づく微弱電流を検出し、当該微弱電流が流れなくなったことを検出すると、受信配線１２が断線であると判断する。このようにして、監視回路は、受信配線１２の断線を監視している。そして、受信配線１２の断線が確認されると、受信警報部は、受信配線１２が断線した旨の受信断線警報を出力する。
【００３４】
なお、無線式中継器用電源装置１において、中継断線監視回路２５が中継配線１１の断線を確認すると、制御回路２７が断線出力回路を動作（第２のスイッチング素子４２を開く）させて受信配線１２を断線させることから、実質的には、監視回路は、中継配線１１又は受信配線１２の断線を監視し、受信警報部は、中継配線１１又は受信配線１２が断線した旨の受信断線警報を出力するともいえる。つまり、受信機５は、断線警報として、無線式中継器４と受信機５との間の配線（中継配線１１及び／又は受信配線１２）が断線した旨の受信断線警報を出力するものといえる。
【００３５】
また、受信機５は、前述の監視回路（図示せず）が、無線式中継器用電源装置１のスイッチング動作に基づく略短絡電流を検出すると、火災情報を受信したと判断する。そして、前述の受信警報部（図示せず）が、受信火災警報を出力する。
【００３６】
なお、受信機５は、監視回路として、火災情報を検出する回路である火災監視回路と、受信配線１２の断線を監視する回路である断線監視回路とを別個に設けてもよい。
【００３７】
次に、無線式中継器用電源装置１等の動作について説明する。先ず、火災等が発生した場合の動作について説明する。中継断線監視回路２５が、無線式中継器４のスイッチング動作に基づく略短絡電流を検出することにより、無線式中継器４から火災信号等を受信すると、中継断線監視回路２５は、その火災情報を制御回路２７に送信する。そして、制御回路２７は、火災情報の場合に、第３のスイッチング素子４３を閉じる。これにより、火災情報が受信機５に送信される。また、制御回路２７は、火災灯によって火災表示を行う。
【００３８】
一方、受信機５は、監視回路（図示せず）が、無線式中継器用電源装置１のスイッチング動作に基づく略短絡電流を検出すると、火災情報を受信したと判断する。そして、受信警報部（図示せず）が、受信火災警報を出力する。
【００３９】
次に、中継配線１１が断線した場合の動作について説明する。中継断線監視回路２５は、前述の如く、中継配線１１に流れる中継終端抵抗１５に基づく微弱電流を検出し、当該微弱電流が流れなくなったことを検出すると、中継配線１１が断線であると判断する。中継断線監視回路２５が中継配線１１の断線を確認すると、中継断線監視回路２５は、その異常情報（断線情報）を制御回路２７に送信する。そして、制御回路２７は、異常情報の場合に、第２のスイッチング素子４２を開く。これにより、異常情報が受信機５に送信される。また、制御回路２７は、断線灯によって断線表示を行い、中継配線１１が断線した旨の中継断線警報が出力される。
【００４０】
一方、受信機５は、監視回路（図示せず）が、受信配線１２に流れる終端器１６に基づく微弱電流を検出し、当該微弱電流が流れなくなったことを検出すると、受信配線１２が断線であると判断する。そして、受信配線１２の断線が確認されると、受信警報部（図示せず）は、無線式中継器４と受信機５との間の配線（この場合は、中継配線１１）が断線した旨の受信断線警報を出力する。
【００４１】
次に、受信配線１２が断線した場合の動作について説明する。受信配線１２が断線した場合は、受信機５において、監視回路（図示せず）が、受信配線１２に流れる終端器１６に基づく微弱電流を検出し、当該微弱電流が流れなくなったことを検出すると、受信配線１２が断線であると判断する。そして、受信配線１２の断線が確認されると、受信警報部は、無線式中継器４と受信機５との間の配線（この場合は、受信配線１２）が断線した旨の受信断線警報を出力する。
【００４２】
次に、予備電源１４の試験について説明する。無線式中継器用電源装置１は、操作部５０と、電圧監視回路５２と、接続回路５３とを備えている。更に、無線式中継器用電源装置１は、電池試験回路５１と、予備スイッチング素子５３ａと、予備電源充電回路５５と、充電抵抗５６と、切替部５４とを備えている。
【００４３】
操作部５０は、予備電源１４の試験を開始するものであり、例えば無線式中継器用電源装置１の盤面に設けられた盤面スイッチである。電池試験回路５１は、操作部５０が操作された際、切替部５４を制御するものであり、また、予備電源１４の試験が開始されるという情報を接続回路５３に送信するものである。電池試験回路５１は、予備電源１４に並列に接続されている。
【００４４】
電圧監視回路５２は、予備電源１４の電圧を測定するものである。電圧監視回路５２は、予備電源１４に並列に接続されている。電圧監視回路５２は、予備電源１４の電圧を定期的に測定し、測定された電圧が試験閾値電圧以上の場合、電圧正常信号を出力し、測定された電圧が試験閾値電圧未満の場合、電圧異常信号を出力する。これらの信号は、接続回路５３に出力されるとともに、制御回路２７に出力される。なお、電圧監視回路５２は、通常時は予備電源１４の電圧を測定せずに、予備電源１４の試験時にのみ、予備電源１４の電圧を測定するようにしてもよい。
【００４５】
接続回路５３は、操作部５０が操作された際、電圧監視回路５２の測定結果に基づいて、予備電源１４に試験抵抗５３ｂを接続するものである。具体的には、接続回路５３は、電圧監視回路５２において測定された電圧が試験閾値電圧以上の場合、即ち、電圧監視回路５２から電圧正常信号を入力した場合、予備電源１４に試験抵抗５３ｂを接続するものである。そして、接続回路５３は、電圧監視回路５２において測定された電圧が試験閾値電圧未満の場合、即ち、電圧監視回路５２から電圧異常信号を入力した場合、予備電源１４に試験抵抗５３ｂを接続しない。また、接続回路５３は、操作部５０が操作されてから、基準時間が経過した後、電圧監視回路５２の測定結果に基づいて、予備電源１４に試験抵抗５３ｂを接続するものである。この基準時間は、例えば１秒である。
【００４６】
予備スイッチング素子５３ａは、予備電源１４に並列に接続されており、接続回路５３によって制御されている。予備スイッチング素子５３ａには、試験抵抗５３ｂが直列に接続されており、常時は開の予備スイッチング素子５３ａがオンする（閉じる）ことによって、試験抵抗５３ｂが予備電源１４に接続される。
【００４７】
予備電源充電回路５５は、予備電源１４を充電するものであり、電源回路２６に接続されている。充電抵抗５６は、予備電源充電回路５５に接続されている。
【００４８】
切替部５４は、予備電源１４の試験時は、操作部５０が操作された際に、中継断線監視回路２５、制御回路２７など（主回路）を、商用電源１７による駆動から予備電源１４による駆動に切り替えるものである。即ち、接続回路５３は、操作部５０が操作されて予備電源１４による駆動に切り替えられてから、基準時間が経過した後、電圧監視回路５２の測定結果に基づいて、予備電源１４に試験抵抗５３ｂを接続する。
【００４９】
なお、切替部５４は、商用電源１７の停電時に、中継断線監視回路２５、制御回路２７など（主回路）を、商用電源１７による駆動から予備電源１４による駆動に切り替えるものでもある。
【００５０】
即ち、前述の電源電圧監視回路（図示せず）は、電源回路２６から出力された電圧を測定し、測定された電圧が所定電圧を下回った場合、停電信号を出力する。この停電信号が、制御回路２７に入力されることによって、制御回路２７によって、切替部５４が切替制御される。つまり、商用電源１７が停電していないと判別されたときは（停電信号が出力されていないときは）、切替部５４は、図２に示すように予備電源充電回路５５側に接続されて、中継断線監視回路２５、制御回路２７など（主回路）は、商用電源１７により駆動される。また、予備電源充電回路５５を介して、予備電源１４が充電される。
【００５１】
また、商用電源１７が停電していると判別されたときは（停電信号が出力されているときは）、切替部５４は、図２とは異なり、制御回路２７側に接続されて、中継断線監視回路２５、制御回路２７など（主回路）は、予備電源１４により駆動される。
【００５２】
次に、予備電源１４の試験の動作について説明する。先ず、操作部５０が操作されることにより、電池試験回路５１によって、切替部５４が制御され、商用電源１７による駆動から予備電源１４による駆動に切り替えられる。この切替信号は、制御回路２７に出力される。また、電池試験回路５１によって、予備電源１４の試験が開始されるという情報が接続回路５３に送信される。
【００５３】
一方、電圧監視回路５２は、予備電源１４の電圧を測定している。接続回路５３は、電圧監視回路５２において測定された電圧が試験閾値電圧以上の場合、即ち、電圧監視回路５２から電圧正常信号を入力した場合、操作部５０が操作されて予備電源１４による駆動に切り替えられてから、基準時間が経過した後、予備電源１４に試験抵抗５３ｂを接続する。これにより、予備電源１４に試験抵抗５３ｂを接続した状態での予備電源１４の試験が行われ（詳細は後述する）、無線式中継器用電源装置１が予備電源１４によって動作可能かが判断される。
【００５４】
これに対し、接続回路５３は、測定された電圧が試験閾値電圧未満の場合、即ち、電圧監視回路５２から電圧異常信号を入力した場合、予備電源１４に試験抵抗５３ｂを接続しない。このとき、制御回路２７は、電圧異常信号を入力するので、予備電源異常灯を例えば点灯させることによって、予備電源１４の電源電圧が異常であることを表示する。更に、制御回路２７は、切替部５４を制御して、予備電源１４による駆動から商用電源１７による駆動に切り替える。これらの動作により、予備電源１４の試験が強制的に終了される。
【００５５】
ここで、上述した予備電源１４に試験抵抗５３ｂを接続した状態での予備電源１４の試験について、詳細に説明する。先ず、予備電源１４に試験抵抗５３ｂを接続した状態で、再度、電圧監視回路５２において予備電源１４の電圧が測定される。そして、測定された電圧が試験閾値電圧以上の場合、電圧監視回路５２によって、予備電源１４の電圧は正常であると判断されて、再度、電圧正常信号が、接続回路５３及び制御回路２７に出力される。制御回路２７は、電圧正常信号を入力すると、予備電源異常灯に対して、例えば消灯状態を維持させることによって、予備電源１４の電源電圧が正常であることを表示する。
【００５６】
一方、測定された電圧が試験閾値電圧未満の場合、電圧監視回路５２によって、予備電源１４の電圧は異常（低下）であると判断されて、電圧異常信号が、接続回路５３及び制御回路２７に出力される。制御回路２７は、電圧異常信号を入力すると、予備電源異常灯を例えば点灯させることによって、予備電源１４の電源電圧が異常であることを表示する。このとき、制御回路２７は、切替部５４を制御して、予備電源１４による駆動から商用電源１７による駆動に切り替える。また、接続回路５３は、電源異常信号を入力すると、予備スイッチング素子５３ａをオフする（開く）ことによって、試験抵抗５３ｂを予備電源１４から切り離す。これらの動作により、予備電源１４の試験が強制的に終了される。
【００５７】
次に、無線式中継器用電源装置１の作用について説明する。接続回路５３は、操作部５０が操作された際、電圧監視回路５２の測定結果に基づいて、予備電源１４に試験抵抗５３ｂを接続する。このため、電圧監視回路５２の測定結果によっては、予備電源１４に試験抵抗５３ｂが接続されない。従って、予備電源１４が消耗していても、無線式中継器用電源装置１（、及びそれから電源供給される無線式中継器４）に異常が発生することを抑制することができる。
【００５８】
つまり、予備電源１４の試験として、先ず、試験抵抗５３ｂを接続せずに、中継断線監視回路２５、制御回路２７など（主回路）を接続した状態という、少なめの負荷を接続した状態で予備試験を行い、このとき、予備電源１４の電圧が正常であれば、さらに試験抵抗５３ｂを接続した状態という、システム最大負荷分を接続した状態で本試験を行うことで、予備電源１４の消耗時にシステム最大負荷分を接続した場合に生じる急激な電圧変化で、システムが予期しない動作を起こす可能性を低減することができる。
【００５９】
また、接続回路５３は、電圧監視回路５２において測定された電圧が試験閾値電圧以上の場合、予備電源１４に試験抵抗５３ｂを接続する。そして、電圧監視回路５２において測定された電圧が試験閾値電圧未満の場合、予備電源１４に試験抵抗５３ｂを接続しない。従って、予備電源１４が消耗していても、無線式中継器用電源装置１（、及びそれから電源供給される無線式中継器４）に異常が発生することを抑制することができる。
【００６０】
更に、切替部５４は、操作部５０が操作された際、商用電源１７による駆動から予備電源１４による駆動に切り替える。即ち、その後、予備電源１４に試験抵抗５３ｂが接続されても、予備電源１４には、試験抵抗５３ｂだけでなく、中継断線監視回路２５及び制御回路２７等（主回路）の負荷もかかる。このため、試験抵抗５３ｂでかけるべき負荷の一部を、中継断線監視回路２５及び制御回路２７等の負荷に、負担させることができる。つまり、試験抵抗５３ｂのみでシステム最大負荷分の消費電流を流す場合よりも、試験抵抗５３ｂに流れる電流を減らすことができる。そのため、試験抵抗５３ｂの抵抗値を大きくすることができる。
【００６１】
これにより、試験抵抗５３ｂのみでシステム最大負荷分の消費電流を流す場合よりも、試験抵抗５３ｂ自体の発熱を抑えることができ、試験抵抗５３ｂを小サイズ化することができる。
【００６２】
更にまた、接続回路５３は、操作部５０が操作されてから、基準時間が経過した後、電圧監視回路５２の測定結果に基づいて、予備電源１４に試験抵抗５３ｂを接続する。即ち、接続回路５３は、操作部５０が操作されてから、基準時間だけ待機した後、予備電源１４に試験抵抗５３ｂを接続する。このように、本実施の形態１は、予備電源１４に試験抵抗５３ｂを接続するタイミングを遅延させている。これにより、切替部５４によって予備電源１４の駆動に切り替えられた後、基準時間が経過することによって無線式中継器用電源装置１に対する電気供給が安定してから、試験抵抗５３ｂを接続することができる。このため、無線式中継器用電源装置１に異常が発生することを更に抑制することができる。
【００６３】
実施の形態２．
次に、本発明の実施の形態２に係る無線式中継器用電源装置１について説明する。図３は、本発明の実施の形態２に係る無線式中継器用電源装置１を示す回路図である。本実施の形態２は、実施の形態１における電源灯３１に関して、商用電源１７による駆動と予備電源１４による駆動とで、電源灯３１の表示パターンが変更されている点を詳細に説明したものである。本実施の形態２では、実施の形態１と共通する部分は同一の符号を付して説明を省略し、実施の形態１との相違点を中心に説明する。
【００６４】
無線式中継器用電源装置１は、コンデンサ６１とコンパレータ６２とを備えている。電源灯３１は、実施の形態１と同様にＬＥＤであり、電源灯３１のアノードは、第１の電圧源６３に接続され、電源灯３１のカソードは、商用電源１７駆動時に接地され予備電源１４駆動時にハイインピーダンスとなる端子６９に接続されている。これは、各素子から構成された予備制御部７０によって制御されている。なお、電源灯３１と端子６９との間には、第１の抵抗６６と第１のダイオード７１とが直列接続されている。第１のダイオード７１は、アノードが第１の抵抗６６に接続され、カソードが端子６９に接続されている。
【００６５】
コンデンサ６１は、第２の電圧源６４に接続され、第２の電圧源６４によって充放電されるものである。なお、コンデンサ６１と第２の電圧源６４との間には、第２の抵抗６７及び第３の抵抗６８が直列に接続されている。
【００６６】
コンパレータ６２は、電源灯３１のカソードに出力端子６２ａが接続され、コンデンサ６１に充電されたコンデンサ電圧と、第２の電圧源６４に基づいて変動生成される閾値電圧とを比較して、コンデンサ電圧が閾値電圧以上の場合出力端子６２ａが接地され、コンデンサ電圧が閾値電圧未満の場合出力端子６２ａがハイインピーダンスとなるものである。コンパレータ６２の第１のピン６２ｂは、コンデンサ６１に接続されている。また、コンパレータ６２の第２のピン６２ｃは、第４の抵抗７６を介して第２の電圧源６４に接続されている。
【００６７】
また、第４の抵抗７６には、第５の抵抗７７が接続されており、第５の抵抗７７は接地されている。第４の抵抗７６及び第５の抵抗７７によって、第２の電圧源６４の電圧が分圧され、コンパレータ６２の第２のピン６２ｃに入力される。
【００６８】
第１の抵抗６６と第１のダイオード７１との間と、コンパレータ６２の出力端子６２ａとは、第２のダイオード７２を介して接続されている。第２のダイオード７２は、アノードが第１の抵抗６６及び第１のダイオード７１に接続され、カソードが出力端子６２ａに接続されている。
【００６９】
第２の抵抗６７と第３の抵抗６８との間と、コンパレータ６２の出力端子６２ａとは、第３のダイオード７３を介して接続されている。第３のダイオード７３は、アノードが第２の抵抗６７及び第３の抵抗６８に接続され、カソードが出力端子６２ａに接続されている。
【００７０】
第４の抵抗７６と第５の抵抗７７との間と、コンパレータ６２の出力端子６２ａとは、第６の抵抗７８と第４のダイオード７４とを介して接続されている。第４のダイオード７４は、アノードが第６の抵抗７８に接続され、カソードが出力端子６２ａに接続されている。
【００７１】
コンパレータ６２の第１のピン６２ｂと端子６９とは、第７の抵抗７９と第５のダイオード７５とを介して接続されている。第５のダイオード７５は、アノードが第７の抵抗７９に接続され、カソードが端子６９に接続されている。
【００７２】
本実施の形態２において、電源灯３１は、商用電源１７による駆動において点灯し、予備電源１４による駆動において点滅する。例えば、予備電源１４による駆動において、電源灯３１は、点灯期間と消灯期間とが同じ周期である。これにより、電源灯３１の視認性を高めることができる。
【００７３】
次に、電源灯３１の表示パターンを変更する動作について説明する。先ず、無線式中継器用電源装置１が商用電源１７によって駆動している場合について説明する。このとき、制御回路２７の制御によって、予備制御部７０が接地される。そのため、端子６９は接地される。従って、第１の電圧源６３、電源灯３１、第１の抵抗６６、第１のダイオード７１、端子６９（接地）の順に電流が流れるため、電源灯３１は点灯している。なお、コンパレータ６２の第１のピン６２ｂには、第２の電圧源６４からの電圧に基づいて、第２の抵抗６７、第３の抵抗６８及び第７の抵抗７９によって分圧された電圧が入力される。この電圧は、コンパレータ６２の第２のピン６２ｃの電圧よりも小さいものである。
【００７４】
ここで、実施の形態１で説明したように、制御回路２７において、商用電源１７の停電時には、電源電圧監視回路により出力される停電信号が入力される。また、制御回路２７において、予備電源１４の試験時は、これに加えて、操作部５０の操作に基づいて電池試験回路５１により出力される切替信号、及び、予備電源１４の電圧異常に基づいて電圧監視回路５２により出力される電圧異常信号が入力される。
【００７５】
そして、制御回路２７は、これら信号の入力などに基づいて、更には、これら信号の入力などに基づく自身による切替部５４の切替制御などに基づいて、商用電源１７又は予備電源１４で駆動しているかを判別し、電源灯３１の表示パターンを変更する。
【００７６】
次に、無線式中継器用電源装置１が予備電源１４によって駆動している場合について説明する。このとき、制御回路２７の制御によって、予備制御部７０がハイインピーダンスとなる。そのため、端子６９はハイインピーダンスとなる。ここで、コンパレータ６２の第１のピン６２ｂには、コンデンサ６１のコンデンサ電圧が入力される。また、コンパレータ６２の第２のピン６２ｃには、第２の電圧源６４からの電圧が第４の抵抗７６及び第５の抵抗７７によって分圧された電圧が入力される。
【００７７】
予備電源１４による駆動が開始された直後は、第１のピン６２ｂの電圧（コンデンサ６１のコンデンサ電圧）は、第２のピン６２ｃの電圧（閾値電圧）未満であるため、コンパレータ６２の出力端子６２ａはハイインピーダンスとなる。このため、電源灯３１に電流が流れる経路が存在せず、電源灯３１は消灯する。
【００７８】
一方、予備電源１４による駆動が開始されてからは、第２の電圧源６４、第２の抵抗６７、第３の抵抗６８、コンデンサ６１の順に電流が流れるため、コンデンサ６１は充電され、時間と共にコンデンサ電圧が上昇する。そして、第１のピン６２ｂの電圧（コンデンサ電圧）が第２のピン６２ｃの電圧（閾値電圧）以上になると、コンパレータ６２の出力端子６２ａは接地される。従って、第１の電圧源６３、電源灯３１、第１の抵抗６６、第２のダイオード７２、コンパレータ６２の出力端子６２ａ（接地）の順に電流が流れるため、電源灯３１は点灯する。
【００７９】
また、コンパレータ６２の出力端子６２ａが接地されることにより、第２のピン６２ｃの電圧が、第４の抵抗７６、第５の抵抗７７、第６の抵抗７８及び第４のダイオード７４によって生成される。具体的には、出力端子６２ａがハイインピーダンスであるときよりも、第２のピン６２ｃの電圧は低下する。
【００８０】
また、コンパレータ６２の出力端子６２ａが接地されることにより、コンデンサ６１、第３の抵抗６８、第３のダイオード７３、コンパレータ６２の出力端子６２ａ（接地）の順に電流が流れる。このため、コンデンサ６１は放電され、時間と共にコンデンサ電圧が低下する。そして、第１のピン６２ｂの電圧（コンデンサ電圧）が第２のピン６２ｃの電圧（閾値電圧）未満になると、コンパレータ６２の出力端子６２ａはハイインピーダンスとなる。このため、電源灯３１に電流が流れる経路が存在せず、電源灯３１は消灯する。これ以降、これらの動作が繰り返されることによって、電源灯３１が点滅する。
【００８１】
つまり、コンパレータ６２の第２のピン６２ｃに入力される第２の電圧源６４に基づいて変動生成される閾値電圧は、コンパレータ６２の第１のピン６２ｂに入力されるコンデンサ６１の充放電に基づく電圧との比較によって、コンパレータ６２の出力端子６２ａが交互にハイインピーダンスと接地とを繰り返すことができるような電圧に設定されているため、無線式中継器用電源装置１が予備電源１４によって駆動しているとき、電源灯３１が点滅する。
【００８２】
このように、電源灯３１は、点灯と消灯とが繰り返されることにより、点滅する。以上説明したように、無線式中継器用電源装置１が商用電源１７によって駆動しているとき、電源灯３１は点灯し、無線式中継器用電源装置１が予備電源１４によって駆動しているとき、電源灯３１は点滅する。
【００８３】
本実施の形態２において、電源灯３１の点滅は、ハードウエア回路のみによって実現されており、マイコンによるソフトウエア制御が用いられていない。このため、マイコン及びマイコンを駆動する電源回路を省略することができる。従って、無線式中継器用電源装置１の部品コストを削減することができる。更に、従来、商用電源１７で駆動する際に点灯する電源灯と、予備電源で駆動する際に点灯する電源灯との二つを有していたが、本実施の形態２は、電源灯３１は一つで済む。このため、もう一つの電源灯及びその電源灯の周辺回路を省略することができる。従って、無線式中継器用電源装置１の部品コストを削減することができる。
【００８４】
前記全ての実施の形態では、火災受信装置として、無線式中継器用電源装置を例に挙げて説明したが、商用電源の停電時に予備電源によって駆動する火災受信装置であればよく、例えば火災受信機などにも本発明を適用することができる。
【符号の説明】
【００８５】
１  無線式中継器用電源装置（火災受信装置）、２  警報システム、３  無線式感知器、４  無線式中継器（端末機器）、５  受信機、１１  中継配線、１２  受信配線、１３  電源線、１４  予備電源、１５  中継終端抵抗、１６  終端器、１７  商用電源、２１  中継端子、２２  受信端子、２３  受信断線監視回路、２５  中継断線監視回路、２６  電源回路、２７  制御回路、２８  電源端子、２９  終端端子、３１  電源灯、３２  配線端子台、４２  第２のスイッチング素子、４３  第３のスイッチング素子、４４  抵抗、５０  操作部、５１  電池試験回路、５２  電圧監視回路、５３  接続回路、５３ａ  予備スイッチング素子、５３ｂ  試験抵抗、５４  切替部、５５  予備電源充電回路、５６  充電抵抗、６１  コンデンサ、６２  コンパレータ、６２ａ  出力端子、６２ｂ  第１のピン、６２ｃ  第２のピン、６３  第１の電圧源、６４  第２の電圧源、６６  第１の抵抗、６７  第２の抵抗、６８  第３の抵抗、６９  端子、７０  予備制御部、７１  第１のダイオード、７２  第２のダイオード、７３  第３のダイオード、７４  第４のダイオード、７５  第５のダイオード、７６  第４の抵抗、７７  第５の抵抗、７８  第６の抵抗、７９  第７の抵抗。
【図１】
2016186722.tif 000003
【図２】
2016186722.tif 000004
【図３】
2016186722.tif 000005